(57)【要約】【課題】炭酸泉発生装置において、移動可能な（持ち運びできる）炭酸泉発生容器に炭酸泉を発生でき、炭酸泉の噴射ノズルと湯水の吸込み口を炭酸泉発生容器に簡単に出し入れできるようにすること。【解決手段】炭酸泉の給水管３２２に炭酸泉の給水管３２１を回転自在に結合する給水管結合部３２３、及び湯水の循環管３１２に湯水の循環管３１１を回転自在に結合する循環管結合部３１３を外箱１０に設けてある。給水管３２１に取付けた炭酸泉噴射ノズル１４２と循環管３１１に取付けた吸込み口１４１は、炭酸泉発生容器２に出し入れできる。【選択図】図２
2014161800.tif 000002
【特許請求の範囲】
【請求項１】
炭酸泉発生部（１１）を設置した外箱（１０）内の湯水の循環管（３１２）に外箱（１０）の外側の湯水の循環管（３１１）を回転自在に結合する循環管結合部（３１３）、及び外箱（１０）内の炭酸泉の給水管（３２２）に外箱（１０）の外側の炭酸泉の給水管（３２１）を回転自在に結合する給水管結合部（３２３）を外箱（１０）に取付けてあり、
前記外側の湯水の循環管（３１１）に吸込み口（１４１）を取り付け、前記外側の炭酸泉の給水管（３２１）に炭酸泉の噴射ノズル（１４２）を取付けてあり、
前記吸込み口（１４１）及び前記噴射ノズル（１４２）は、移動可能な炭酸泉発生容器（２）に出し入れできることを特徴とする炭酸泉発生装置。
【請求項２】
請求項１に記載の炭酸泉発生装置において、前記噴射ノズル（１４２）及び前記吸込み口（１４１）は結合部材（１４３）により結合してある、又は前記外側の炭酸泉の給水管（３２１）の端部及び前記外側の湯水の循環管（３１１）の端部は結合部材（１４４）により結合してあることを特徴とする炭酸泉発生装置。
【請求項３】
請求項２に記載の炭酸泉発生装置において、前記外側の炭酸泉の給水管（３２１）及び前記外側の湯水の循環管（３１１）は、変形し難い材料からなることを特徴とする炭酸泉発生装置。
【請求項４】
請求項１、請求項２又は請求項３に記載の炭酸泉発生装置において、前記炭酸泉発生容器（２）は、足湯用ボールであることを特徴とする炭酸泉発生装置。
【発明の詳細な説明】
【技術分野】
【０００１】
本発明は、炭酸ガスが溶解している炭酸泉（二酸化炭素溶解水）を発生する炭酸泉発生装置に関する。
【背景技術】
【０００２】
従来炭酸泉発生装置を用いて足湯槽に炭酸泉を発生する足湯装置が提案されている（特許文献１）。
図４により従来の足湯装置を説明する。
足湯装置は、炭酸ガス貯留部６２、足湯槽６４、湯水循環用のポンプ６３を備え、足湯槽６４には、足を載せる穴あきの台６５、マイクロバブル発生用ノズル６１１、吸込み口６１２を取付けてあり、所定量の湯水（図示省略）を入れてある。炭酸ガス貯留部６２には、固形入浴剤により発生した炭酸ガスを貯留してある。
マイクロバブル発生用ノズル６１１は、炭酸ガス貯留部６２から供給される炭酸ガスとポンプ６３から供給される湯水とにより、炭酸ガスのマイクロバブルが混入した炭酸泉を発生する。足湯槽６４内の湯水は、吸込み口６１２に吸込まれ、ポンプ６３により循環する。
【０００３】
また浴槽に炭酸泉を発生する浴槽用の炭酸泉発生装置も提案されている（特許文献２）。
図５により従来の浴槽用の炭酸泉発生装置を説明する。
炭酸泉発生装置は、炭酸泉発生用の気液混合タンク７１、炭酸ガス供給用のボンベ７３、浴槽７５、湯水循環用のポンプ７４を備えている。気液混合タンク７１内には、衝突板７２１、開口７２３を形成した仕切り板７２２を取付けてある。ノズル７６１は、ポンプ７４からの湯水を衝突板７２１に向かって噴射し、ノズル７６２は、ボンベ７３からの炭酸ガスを噴射する。ノズル７６１，７６２から噴射された湯水と炭酸ガスは、衝突板７２１に衝突して撹拌され、炭酸ガスは、マイクロバブル化して湯水に溶解して炭酸泉を発生する。炭酸泉は、仕切り板７２２の開口７２３から気液混合タンク７１の下部へ流れ出して浴槽７５へ供給される。浴槽７５へ供給された炭酸泉は、噴射ノズル７５２から浴槽７５内へ噴射する。浴槽７５の湯水（図示省略）は、吸込み口７５１に吸込まれてポンプ７４により循環する。
【先行技術文献】
【特許文献】
【０００４】
【特許文献１】特開２０１０−２２６２４号公報
【特許文献２】特許第４８９１１２７号公報
【発明の概要】
【発明が解決しようとする課題】
【０００５】
前記従来の足湯装置は、マイクロバブル発生用ノズルや吸込み口が、足湯槽に足湯槽と一体的に取付けてあるから、炭酸泉の入った足湯槽を任意の場所に移動することができない。また前記従来の浴槽用の炭酸泉発生装置も、同様に炭酸泉が入った浴槽を移動することはできない。
本発明は、従来の足湯装置や浴槽用の炭酸泉発生装置の前記問題点に鑑み、持ち運び可能な足湯槽等の炭酸泉発生容器に炭酸泉を発生できる炭酸泉発生装置を提供することを目的とする。
【課題を解決するための手段】
【０００６】
本発明は、その目的を達成するため、請求項１に記載の炭酸泉発生装置は、炭酸泉発生部（１１）を設置した外箱（１０）内の湯水の循環管（３１２）に外箱（１０）の外側の湯水の循環管（３１１）を回転自在に結合する循環管結合部（３１３）、及び外箱（１０）内の炭酸泉の給水管（３２２）に外箱（１０）の外側の炭酸泉の給水管（３２１）を回転自在に結合する給水管結合部（３２３）を外箱（１０）に取付けてあり、
前記外側の湯水の循環管（３１１）に吸込み口（１４１）を取り付け、前記外側の炭酸泉の給水管（３２１）に炭酸泉の噴射ノズル（１４２）を取付けてあり、
前記吸込み口（１４１）及び前記噴射ノズル（１４２）は、移動可能な炭酸泉発生容器（２）に出し入れできることを特徴とする。
請求項２に記載の炭酸泉発生装置は、請求項１に記載の炭酸泉発生装置において、前記噴射ノズル（１４２）及び前記吸込み口（１４１）は結合部材（１４３）により結合してある、又は前記外側の炭酸泉の給水管（３２１）の端部及び前記外側の湯水の循環管（３１１）の端部は結合部材（１４４）により結合してあることを特徴とする。
請求項３に記載の炭酸泉発生装置は、請求項２に記載の炭酸泉発生装置において、前記外側の炭酸泉の給水管（３２１）及び前記外側の湯水の循環管（３１１）は、変形し難い材料からなることを特徴とする。
請求項４に記載の炭酸泉発生装置は、  請求項１、請求項２又は請求項３に記載の炭酸泉発生装置において、前記炭酸泉発生容器（２）は、足湯用ボールであることを特徴とする。
【発明の効果】
【０００７】
本発明は、炭酸泉の噴射ノズルと湯水の吸込み口を、持ち運び可能な炭酸泉発生容器に入れたり出したりするだけで炭酸泉発生容器に炭酸泉を発生できるから、炭酸泉の入った炭酸泉発生容器を所望の場所へ移動して炭酸泉を足湯や洗顔に利用できる。したがって本発明は、炭酸泉の利用範囲が広くなる。また炭酸泉発生容器は、利用者が個別に利用できるから衛生的である。
本発明は、炭酸泉の噴射ノズルを取付けた給水管と湯水の吸込み口を取付けた循環管を回転自在に取付けてあるから、炭酸泉の噴射ノズルと湯水の吸込み口を炭酸泉発生容器に入れたり出したりする作業が簡単になる。
本発明は、炭酸泉の噴射ノズルと湯水の吸込み口とを一体的に結合してあるから、炭酸泉の噴射ノズルと湯水の吸込み口を同時に移動できる。したがって多数個の炭酸泉発生容器に連続的に炭酸泉を発生するとき、炭酸泉発生容器の取替えを簡単に効率的に行うことができる。
【図面の簡単な説明】
【０００８】
【図１】図１は、本発明の実施例に係る炭酸泉発生装置のブロック図である。
【図２】図２は、本発明の実施例に係る炭酸泉の給水管と湯水の循環管を取付けた炭酸泉発生装置の外観図である。
【図３】図３は、本発明の実施例に係る炭酸泉の噴射ノズルを取付けた給水管と湯水の吸込み口を取付けた湯水の循環管の構成図である。
【図４】図４は、従来の足湯装置のブロック図である。
【図５】図５は、従来の浴槽用の炭酸泉発生装置のブロック図である。
【発明を実施するための形態】
【０００９】
図１〜図３により本発明の実施例に係る炭酸泉発生装置を説明する。
【実施例】
【００１０】
図１は、炭酸泉発生装置のブロック図である。
炭酸泉発生装置は、炭酸泉発生用の気液混合タンク（炭酸泉発生部）１１、炭酸ガス供給用のボンベ１３、移動可能（持ち運び可能）な炭酸泉発生容器（例えば足湯ボール）２、湯水循環用のポンプ４１を備えている。気液混合タンク１１は、衝突板１１１、開口１１３を形成した仕切り板１１２を備えている。また炭酸泉発生容器２には、出し入れができる噴射ノズル１４２と吸込み口１４１を挿入してある。
【００１１】
次に炭酸泉発生装置の作動について説明する。
所定量の湯水（図示省略）が入った炭酸泉発生容器２に噴射ノズル１４２と吸込み口１４１を挿入し、モータ（図示省略）を起動してポンプ４１を作動するとともに、バルブ（図示省略）を開いてボンベ１３から炭酸ガスを供給すると、ノズル１２１から湯水が気液混合タンク１１内へ噴射するとともに、ノズル１２２から炭酸ガスが噴射する。モータやバルブは、所定時間作動するとタイマーで停止するように構成してもよいし、押しボタンを押して停止するように構成してもよい。
気液混合タンク１１内に噴射した湯水と炭酸ガスは、衝突板１１１に衝突して撹拌され、炭酸ガスは、マイクロバブル化して湯水に溶解して炭酸泉が発生する。炭酸泉は、仕切り板１１２の開口１１３から気液混合タンク１１の下部へ流れ出し、給水管３２１（３２２）により炭酸泉発生容器２に挿入してある噴射ノズル１４２へ供給され、噴射ノズル１４２から炭酸泉発生容器２内に噴射する。炭酸泉発生容器２に噴射した炭酸泉は、炭酸泉発生容器２の湯水と混合される。炭酸泉発生容器２の湯水は、吸込み口１４１に吸い込まれ、循環管３１１（３１２）、ポンプ４１により噴射ノズル１２１へ供給され、噴射ノズル１２１から気液混合タンク１１内へ噴射する。
炭酸泉発生容器２内の湯水は、ポンプ４１により、炭酸泉発生容器２、ポンプ４１、気液混合タンク１１、炭酸泉発生容器２へと循環を繰り返し、湯水に溶解した炭酸ガス（二酸化炭素）の濃度は、徐々に高くなる。炭酸ガスの濃度は、所定の設定時間（例えば３分）で所定濃度になる。設定時間が経過したら、噴射ノズル１４２と吸込み口１４１を炭酸泉発生容器２の外へ取出して（移動して）、炭酸泉発生水容器２を所望の場所へ運んで、例えば足湯槽として使用する。
【００１２】
本実施例の炭酸泉発生装置の噴射ノズル１４２と吸込み口１４１は、炭酸泉発生容器２に出し入れすることができ、噴射ノズル１４２と吸込み口１４１を炭酸泉発生容器２に挿入するだけで、炭酸泉発生容器２に炭酸泉を発生できるから、炭酸泉の入った炭酸泉発生容器２を所望の場所へ運んで足湯や洗顔等に使用できる。即ち炭酸泉発生容器２は、足湯槽（足湯ボール）や洗面器として使用できる。
炭酸泉発生容器２を足湯ボールとして使用する場合、炭酸泉発生容器２を多数個用意しておけば、職場、図書館、駅、観光施設、老人ホーム、家庭等において、各人が銘々で所望の時間に所望の場所で足湯を楽しむことができる。従来大きな足湯槽を設置して大勢の人が同時に使用できる足湯装置があるが、同じ足湯槽を大勢の人が使用するから衛生上の問題があり、また使用する人が少ないときにも大きな足湯槽に炭酸泉を発生しなければならないから、無駄が多く経済的でない。それに対して本実施例の炭酸発生装置は、例えば、職場の休憩時間等に個人個人が、所望の場所で簡単に足湯を楽しむことができるから、利便性が高く、かつ衛生的で、経済的である。
なお炭酸泉発生部である気液混合タンク１１は、図１の構造に限らない。例えば気液混合タンク１１の衝突板１１１、仕切り板１１２に代えて特許文献１のマイクロバブル発生用ノズルと同様のノズルを気液混合タンク１１内に取付けてもよい。
【００１３】
次に図２により図１の炭酸泉発生装置において、噴射ノズル１４２と吸込み口１４１を炭酸泉発生容器２に入れたり出したりする機構について説明する。
図２（ａ）は、炭酸泉発生装置の正面図、図２（ｂ）は、図２（ａ）において、Ｙ１方向から見た炭酸泉発生装置の側面図である。なお図２（ａ）は、炭酸泉発生容器２の図示を省略してある。
外箱１０内には、気液混合タンク１１、炭酸ガスのボンベ１３、ポンプ４１、ポンプ４１の駆動用モータ（図示省略）を設置してある。また外箱１０の外側の正面には、炭酸泉発生装置の始動・停止用の押しボタン４２を取付けてある。
吸込み口１４１を取付けた循環管３１１は、循環管結合部３１３において外箱１０内の循環管３１２と回転自在に結合し、噴射ノズル１４２を取付けた給水管３２１は、給水管結合部３２３において外箱１０内の給水管３２２と回転自在に結合してある。また吸込み口１４１と噴射ノズル１４２は、吸込み口・噴射ノズル結合部１４において結合してある。
循環管３１１と給水管３２１は、金属或いは硬質プラスチック等の変形し難い材料で形成してある。なお循環管３１１と給水管３２１は、ホースも使用できるが、循環管３１１と給水管３２１には高水圧がかかり、また吸込み口１４１と噴射ノズル１４２を炭酸泉発生容器２に入れたり出したりする際にホースが変形して、その入れたり出したりの作業がし難くなるから、変形し難い材料で形成するのが望ましい。
【００１４】
図２（ｂ）において、循環管３１１（給水管３２１）の実線は、吸込み口・噴射ノズル結合部１４を炭酸泉発生容器２に挿入した状態を、即ち吸込み口１４１と噴射ノズル１４２を炭酸泉発生容器２に挿入した状態を示し、循環管３１１（給水管３２１）の破線（３１１´）は、循環管３１１（給水管３２１）を回転して炭酸泉発生容器２の外へ移動した状態を示す。
循環管３１１と給水管３２１は、変形し難い材料で形成し、吸込み口１４１と噴射ノズル１４２は、吸込み口・噴射ノズル結合部１４により結合してあるから、循環管３１１、給水管３２１、吸込み口１４１及び噴射ノズル１４２は、一体的に結合した１個の部材として扱うことができ、吸込み口１４１及び噴射ノズル１４２を炭酸泉発生容器２に入れたり出したりする作業が簡単で、効率的になる。
なお図２（ａ）において、ボンベ１３、ポンプ４１、モータは、外箱１０の外に設置してもよい。
【００１５】
次に図３により、吸込み口・噴射ノズル結合部１４の具体例を説明する。
図３（ａ１）は、吸込み口１４１と噴射ノズル１４２の封鎖した端部が向き合うように配置し、夫々の端部側面（外周面）に噴射ノズル１４２の開口１４２１、吸込み口１４１の開口１４１１を形成した例である。吸込み口１４１と噴射ノズル１４２は、結合部材１４３により一体的に結合してある。なお結合部材１４３は、断面を図示してある。
開口１４１１，１４２１の方向（吸込み方向、噴射方向）は、例えば、開口１４１１は、図３（ｂ）の方向Ｐ２のように、炭酸泉発生容器２の底部から斜め上方向に吸込み、開口１４２１は、方向Ｐ１のように、水平方向へ噴射するように形成してある。開口１４１１，１４２１の方向は、方向Ｐ１，Ｐ２に限らず、炭酸泉発生容器２の湯水の深さと炭酸泉発生容器２内の吸込み口・噴射ノズル結合部１４の位置（高さ）を勘案して設定する。また吸込み口・噴射ノズル結合部１４は、管結合部３１３（３２３）に摩擦機構を設けて循環管３１１（給水管３２１）が、所望の位置で停止するようにして、高さを調整できるように構成してもよい。
【００１６】
図３（ａ２）は、循環管３１１、給水管３２１の端部を直角に曲げて、その端部を結合部材１４４により一体的に結合してある。図３（ａ２）の場合には、吸込み口１４１が吸込み口１４１と循環管３１１との結合部１４１２において、また噴射ノズル１４２が噴射ノズル１４２と給水管３２１との結合部１４２２において、夫々回転できるように構成することもでき、その場合には、吸込み口１４１と噴射ノズル１４２を回転して開口１４１１，１４２１の方向を変えることもできる。
吸込み口・噴射ノズル結合部１４の構造は、図３の例に限らないし、開口１４１１と開口１４２２の位置や方向は、図３の例に限らない。
【符号の説明】
【００１７】
１０    外箱
１１    気液混合タンク（炭酸泉発生部）
１３    炭酸ガスのボンベ
１４    吸込み口・噴射ノズル結合部
１４１  吸込み口
１４２  噴射ノズル
１４３，１４４  結合部材
２      炭酸泉発生容器
３１１，３１２  循環管
３２１，３２２  給水管
３１３  循環管結合部
３２３  給水管結合部
４１    ポンプ
４２    押しボタン
【図１】
2014161800.tif 000003
【図２】
2014161800.tif 000004
【図３】
2014161800.tif 000005
【図４】
2014161800.tif 000006
【図５】
2014161800.tif 000007